(57)【要約】      （修正有）【課題】締付具を用いた柱状物への表示物の取付けにおいて柱状物，表示物の汚損，傷付け損傷を防止する。【解決手段】柱状物Ｐの外周面に当接された表示物Ｓの上から柱状物に巻付けられる布地製の帯体１と、帯体１に取付けられて帯体１の柱状物への巻付けを保持する保持部材３とを備えてなる。【選択図】図４
2005148589.tif 000002
【特許請求の範囲】
【請求項１】
柱状物の外周面に当接された表示物の上から柱状物に巻付けられる布地製の帯体と、帯体に取付けられて帯体の柱状物への巻付けを保持する保持部材とを備えてなる表示物取付用補助具。
【請求項２】
請求項１の表示物取付用補助具において、帯体は長さ方向へ直線状に延びる刺子が幅方向に複数列設けられていることを特徴とする表示物取付用補助具。
【請求項３】
請求項１または２の表示物取付用補助具において、帯体の一端部には表示物に大きな摩擦で当接される滑止が取付けられていることを特徴とする表示物取付用補助具。
【発明の詳細な説明】
【技術分野】
【０００１】
本発明は、電柱，電信柱，道路標識柱，構造柱等の柱状物の外周面に広告，標識等の表示物を当接させて取付ける際に使用される表示物取付用補助具に係る技術分野に属する。
【背景技術】
【０００２】
一般に、柱状物が道路，建物に付設的または一体的に設置されて目につきやすい存在であることから、柱状物の外周面には各種の表示物が取付けられている。
【０００３】
従来、柱状物の外周面に表示物を取付ける技術としては、柱状物の外周面に表示物を当接させ、表示物の上から柱状物に針金，バンド等の締付具を巻付けるものが知られている。具体的には、以下の文献に記載のものがある。
【特許文献１】特開平１１−１０９８６７号公報
【発明の開示】
【発明が解決しようとする課題】
【０００４】
前述の従来の技術では、締付具が金属製，合成樹脂製で取付け後に水濡れによる腐食や温度変化による劣化を引起こしやすいため、締付具の腐食，劣化に伴う生成物（錆，炭化物）で表示物，柱状物が汚損されてしまうという問題点がある。また、締付具を強固に締付けて表示物の取付けを確実にすると、表示物，柱状物を傷付け損傷してしまうという問題点がある。
【０００５】
本発明は、このような問題点を考慮してなされたもので、締付具を用いた柱状物への表示物の取付けにおいて柱状物，表示物の汚損，傷付け損傷を防止することのできる表示物取付用補助具を提供することを課題とする。
【課題を解決するための手段】
【０００６】
前述の課題を解決するため、本発明に係る表示物取付用補助具は、特許請求の範囲の各請求項に記載の手段を採用する。
【０００７】
即ち、請求項１では、柱状物の外周面に当接された表示物の上から柱状物に巻付けられる布地製の帯体と、帯体に取付けられて帯体の柱状物への巻付けを保持する保持部材とを備えてなる。
【０００８】
この手段では、締付具を用いた柱状物への表示物の取付けの際に締付具，表示物の間に介在され、締付具の腐食，劣化に伴う生成物を帯体が吸収または流止めするとともに、表示物，柱状物に対して帯体が締付具の締付けの緩衝保護材として機能する。
【０００９】
また、請求項２では、請求項１の表示物取付用補助具において、帯体は長さ方向へ直線状に延びる刺子が幅方向に複数列設けられていることを特徴とする。
【００１０】
この手段では、刺子が帯体の長さ方向を補強し、複数列の刺子が帯体の幅方向に伸展性を付与する。
【００１１】
また、請求項３では、請求項１または２の表示物取付用補助具において、帯体の一端部には表示物に大きな摩擦で当接される滑止が取付けられていることを特徴とする。
【００１２】
この手段では、帯体の巻付け始に滑止を表示物に当接させることで、帯体の巻付けの際のずれが防止される。
【発明の効果】
【００１３】
本発明に係る表示物取付用補助具は、締付具を用いた柱状物への表示物の取付けの際に締付具，表示物の間に介在され、締付具の腐食，劣化に伴う生成物を帯体が吸収または流止めするため、締付具を用いた柱状物への表示物の取付けにおいて柱状物，表示物の汚損が防止される効果がある。また、締付具を用いた柱状物への表示物の取付けの際に締付具，表示物の間に介在され、表示物，柱状物に対して帯体が締付具の締付けの緩衝保護材として機能するため、締付具を用いた柱状物への表示物の取付けにおいて柱状物，表示物の傷付け損傷が防止される効果がある。
【００１４】
さらに、請求項２として、刺子が帯体の長さ方向を補強し、複数列の刺子が帯体の幅方向に伸展性を付与するため、帯体に巻付けの引張，捻れに対する耐久性が備えられる効果がある。
【００１５】
さらに、請求項３として、帯体の巻付け始に滑止を表示物に当接させることで、帯体の巻付けの際のずれが防止されるため、帯体の巻付け作業を容易，確実に行うことができる効果がある。
【発明を実施するための最良の形態】
【００１６】
以下、本発明に係る表示物取付用補助具を実施するための最良の形態を図面に基づいて説明する。
【００１７】
図１〜図５は、本発明に係る表示物取付用補助具を実施するための最良の形態の第１例を示すものである。
【００１８】
第１例は、図１〜図３に示すように、帯体１，滑止２，保持部材３で構成されている。
【００１９】
帯体１は、２枚重ねにされた細長形の布地１１が糸で刺縫いした刺子１２で一体化されてなる。布地１１は、綿布等の強靱な天然の材質のものが選択される。刺子１２は、綿糸等の強靱な天然の材質の糸が選択され、布地１１の長さ方向へ直線状に延びるとともに幅方向に複数列が配設されている。
【００２０】
滑止２は、帯体１の一端部の一方の布地１１に積層接着された長方形の天然ゴムの薄板材からなる。
【００２１】
保持部材３は、金属製の止針３１と、止針３１を帯体１の布地１１に縫付けた縫糸３２とからなる。止針３１は、先端部に帯体１の布地１１に刺通可能な鋭利部３１ａが設けられ、後端部に縫糸３２に縫付けられる輪部３１ｂが設けられている。
【００２２】
第１例を使用するには、図４，図５に示すように、円柱形からなる柱状物Ｐの外周面に巻付けるように当接された薄板形の表示物Ｓの上から帯体１が柱状物Ｐに巻付けられる。
【００２３】
柱状物Ｐへの巻付けでは、帯体１の一端部に位置している滑止２を表示物Ｓに当接させて巻付始端とすることで、帯体１の表示物Ｓに対するずれを防止することができる。従って、帯体１の巻付け作業を容易，確実に行うことができる。また、帯体１に複数列設けられた刺子１２で帯体１の幅方向に伸展性が付与され、帯体１に巻付けの捻れに対する耐久性が備えられることも、帯体１の巻付け作業の容易化，確実化に寄与する。また、帯体１に設けられた刺子１２で帯体１の長さ方向が補強され、帯体１に巻付けの引張に対する耐久性が備えられるため、帯体１の柱状物Ｐへの強固な巻付けが可能となる。
【００２４】
帯体１の巻付けの後には、図５に詳細に示されるように、保持部材３の止針３１を鋭利部３１ａから帯体１の布地１１に刺込む。
【００２５】
保持部材３は、止針３１が帯体１の布地１１に刺込まれることによって、帯体１の巻付終端を緩止め固定することになる。従って、帯体１の柱状体Ｐへの巻付けが保持される。即ち、表示物Ｓが柱状物Ｐに仮止めされたことになる。なお、保持部材３の止針３１が輪部３１ｂの部分で縫糸３２によって帯体１の布地１１に縫付けられているため、輪部３１ｂでの回動で止針３１の帯体１の布地１１への刺込角度を少し調整することができる。従って、保持部材３の止針３１の刺込み作業を容易，確実に行うことができる。
【００２６】
この後、帯体１の布地１１の上から締付具Ｃを巻付けることになる。即ち、表示物Ｓが柱状物Ｐに本止めされる。
【００２７】
第１例によると、取付け後に金属製，合成樹脂製の締付具Ｃから水濡れによる腐食や温度変化による劣化で生成物が生成されても、生成物が帯体１の布地１１に吸収または流止めされるため、表示物Ｓ，柱状物Ｐが生成物で汚損されることがない。
【００２８】
また、締付具Ｃを強固に締付けて表示物Ｓの取付けを確実にしても、表示物Ｓ，柱状物Ｐに対して帯体１の布地１１が締付具Ｃの締付けの緩衝保護材として機能するため、表示物Ｓ，柱状物Ｐを傷付け損傷してしまうことがない。従って、表示物Ｓを柱状物Ｐに確実に取付けることができ、柱状物Ｐの高所でも安心して表示物Ｓを取付けることができる。
【００２９】
なお、第１例の材質が綿，天然ゴム等であるため、不要になった場合の廃棄処理が容易である。
【００３０】
図６は、本発明に係る表示物取付用補助具を実施するための最良の形態の第２例を示すものである。
【００３１】
第２例は、保持部材３を帯体１の布地１１の滑止２とは反対側の面の両端部に積層接着されたベルベットファスナ３３としてある。
【００３２】
第２例によると、保持部材３のベルベットファスナ３３を重合わせるだけで帯体１の巻付終端を緩止め固定することができるため、保持部材３の操作が容易である。
【００３３】
図７は、本発明に係る表示物取付用補助具を実施するための最良の形態の第３例を示すものである。
【００３４】
第３例では、保持部材３を帯体１の布地１１の一端部に取付けられたＷリング３４と他端部に形成された差込辺３５としてある。
【００３５】
第３例によると、保持部材３のＷリング３４を利用して表示物Ｓ，柱状物Ｐに巻付けられた帯体１を強固に締付けることができる。
【００３６】
以上、図示した各例の外に、柱状物Ｐが角柱形等の場合にも適用することができる。
【００３７】
さらに、締付具Ｃを使用しないで、本発明に係る表示物取付用補助具で表示物Ｓを柱状物Ｐに本止めすることもできる。
【実施例】
【００３８】
前述の本発明に係る表示物取付用補助具を実施するための最良の形態では、柱状体Ｐが電柱の場合に、例えば帯体１の布地１１の幅ａが１０ｃｍ長さｂが１００ｃｍで滑止２の長さｃが２０ｃｍに寸法に設定される。
【００３９】
【産業上の利用可能性】
【００４０】
本発明に係る表示物取付用補助具は、各種の物品を結束，拘束する結束具等としての使用も可能である。
【図面の簡単な説明】
【００４１】
【図１】本発明に係る表示物取付用補助具を実施するための最良の形態の第１例を示す正面図である。
【図２】図１の拡大横断面図である。
【図３】図１の一部拡大図である。
【図４】図１に使用状態を示す斜視図である。
【図５】図４の一部拡大図である。
【図６】本発明に係る表示物取付用補助具を実施するための最良の形態の第２例を示すものであり、（Ａ）が正面図で（Ｂ）が背面図である。
【図７】本発明に係る表示物取付用補助具を実施するための最良の形態の第３例を示す正面図である。
【符号の説明】
【００４２】
１            帯体
１１          布地
１２          刺子
２            滑止
３            保持部材
Ｃ            締付具
Ｐ            柱状物
Ｓ            表示物
【図１】
2005148589.tif 000003
【図２】
2005148589.tif 000004
【図３】
2005148589.tif 000005
【図４】
2005148589.tif 000006
【図５】
2005148589.tif 000007
【図６】
2005148589.tif 000008
【図７】
2005148589.tif 000009